(57)【要約】【課題】風呂釜既設で暖房熱源機追加購入のユーザーに対し、簡易的な浴槽注水機能を付加した暖房専用熱源機を提供し、浴槽水張りの煩わしさを解消することを目的とする。【解決手段】循環水を加熱する加熱部及び熱交換器部３と、循環経路の適所に設けた循環水タンク２と、前記循環水タンク２への給水路１４と、給水路１４中に設けた注水弁５ａと、前記循環水タンク２に接続されたオーバーフロー路７と、前記オーバーフロー路７と浴槽９をつなぐ浴槽注水路８を備えた暖房専用熱源機であって、外部入力装置２０の操作により、前記注水弁５ａを開閉して前記浴槽注水路８から浴槽に注水を行うようにしてある。【選択図】  図１
2005009812.tif 000002
【特許請求の範囲】
【請求項１】
循環水を加熱する加熱部及び熱交換器部と、循環経路の適所に設けた循環水タンクと、前記循環水タンクへの給水路と、給水路中に設けた注水弁と、前記循環水タンクに接続されたオーバーフロー路と、前記オーバーフロー路と浴槽をつなぐ浴槽注水路を備えた暖房専用熱源機であって、外部入力装置の操作により、前記注水弁を開閉して前記浴槽注水路から浴槽に注水を行うようにした暖房専用熱源機。
【請求項２】
循環水を加熱する加熱部及び熱交換器部と、循環経路の適所に設けた循環水タンクと、前記循環水タンクへの給水路と、給水路中に設けた注水弁と、前記給水路から分岐した分岐路と、分岐路中に設けた分岐弁と、前記分岐路と浴槽をつなぐ浴槽注水路を備えた暖房専用熱源機であって、外部入力装置の操作により、前記分岐弁を開閉して前記浴槽注水路から浴槽に注水を行うようにした暖房専用熱源機。
【請求項３】
循環水を加熱する加熱部及び熱交換器部と、循環経路の適所に設けた循環水タンクと、前記循環水タンクへの給水路と、給水路中に設けた注水弁と、前記給水路から分岐した分岐路と、分岐路中に設けた分岐弁及び定水量ガバナと、前記分岐路と浴槽をつなぐ浴槽注水路を備えた暖房専用熱源機であって、外部入力装置の操作により、前記分岐弁を開閉して前記浴槽注水路から浴槽に注水を行うようにした暖房専用熱源機。
【請求項４】
外部入力装置により注水指示を行ったとき、注水弁または分岐弁を開弁し、所定時間経過後に自動的に閉弁する制御手段を有した請求項１〜３のいずれか１項記載の暖房専用熱源機。
【請求項５】
外部入力装置により注水指示を行ったとき、注水弁または分岐弁を開弁し、外部入力装置で設定した任意の注水時間経過後に自動的に閉弁する制御手段を有した請求項１〜３のいずれか１項記載の暖房専用熱源機。
【請求項６】
分岐路中に流量を検出する水量センサと、水量の積算を演算する水量演算手段を備え、前記水量演算手段の積算水量が、外部入力装置で任意に設定した目標水量に達した際、分岐弁を閉弁し浴槽への注水を停止する制御手段を有した請求項２記載の暖房専用熱源機。
【請求項７】
注水弁または分岐弁の閉弁後、外部入力装置より浴槽への注水完了を報知する制御手段を有した請求項１〜６のいずれか１項記載の暖房専用熱源機。
【発明の詳細な説明】
【０００１】
【発明の属する技術分野】
本発明は暖房専用熱源機において、簡易的に浴槽への注水を可能とした浴槽注水構成に関するものである。
【０００２】
【従来の技術】
従来の暖房専用熱源機の一例は、図５に示すような構成になっている。
【０００３】
浴室乾燥機など、例えば８０℃前後の高温を要する暖房運転が要求されると、循環ポンプ１が運転し、循環水タンク２内の循環水は熱交換器部３により加熱され、温水となり浴室乾燥機などの暖房端末機に搬出される。また、温水床暖房など、例えば６０℃前後の比較的低温を要する暖房運転が要求されると、熱動弁４が開き、循環ポンプ１が運転し、循環水タンク２内の循環水は熱交換器部３により加熱され、温水となり熱動弁４を通って温水床暖房などの暖房端末機に搬出される。また、循環水タンク２への注水は、給水路１４上に設けられた注水弁５ａが開弁することにより行われ、暖房水タンク２に設けられた満水検知部６により満水が検知されると注水が完了する（例えば、特許文献１参照）。
【０００４】
【特許文献１】
特開２００２−１３７５４号公報
【０００５】
【発明が解決しようとする課題】
しかしながら、従来の暖房専用熱源機は、温水による暖房だけを目的としており、浴槽追焚用の風呂釜を使用しているユーザーが追加購入の場合、浴槽への注水は従来どおり浴室まで行って手動で水栓の開閉を行う必要がある。これに対し、浴槽へのお湯はりや追焚、給湯、暖房を行うことのできる給湯暖房機という上位機種があるが、暖房専用機より高価になるうえ、既設の給湯機や、風呂釜等を不必要に処分する必要がある。
【０００６】
【課題を解決するための手段】
本発明は上記課題を解決するために、湯張り機能や追い焚き機能を持たない暖房専用熱源機に、循環水タンクのオーバーフロー経路を利用して簡易で安価な注水機能を付加し、外部入力装置の操作により、注水弁を開閉し浴槽への注水を行う構成としたものである。
【０００７】
上記発明によれば、風呂釜が既設された住宅において、暖房専用熱源機の設置をする場合、前記暖房専用熱源機に備えた簡易注水機能を用いて、浴槽への注水を自動的に行うことができ、既設の風呂釜で沸き上げることにより、湯張り機能や追い焚き機能を有した高価な風呂機能付き暖房熱源機に買い替える必要がなく、実用的、かつ、使い勝手のよい暖房専用熱源機を提供することができる。
【０００８】
【発明の実施の形態】
請求項１記載の発明は、循環水を加熱する加熱部及び熱交換器部と、循環経路の適所に設けた循環水タンクと、前記循環水タンクへの給水路と、給水路中に設けた注水弁と、前記循環水タンクに接続されたオーバーフロー路と、前記オーバーフロー路と浴槽をつなぐ浴槽注水路を備えた暖房専用熱源機であって、外部入力装置の操作により、前記注水弁を開閉して前記浴槽注水路から浴槽に注水を行うことを特徴としたものである。
【０００９】
そして、浴槽への注水を暖房水循環経路に配設した循環水タンクのオーバーフロー路を兼用して、外部入力装置のスイッチ操作で注水弁の開閉制御により行うようにしているため、実用的、かつ、使い勝手のよい暖房専用熱源機を提供することができる。
【００１０】
請求項２記載の発明は、循環水を加熱する加熱部及び熱交換器部と、循環経路の適所に設けた循環水タンクと、前記循環水タンクへの給水路と、給水路中に設けた注水弁と、前記給水路から分岐した分岐路と、分岐路中に設けた分岐弁と、前記分岐路と浴槽をつなぐ浴槽注水路を備えた暖房専用熱源機であって、外部入力装置の操作により、前記分岐弁を開閉して前記浴槽注水路から浴槽に注水を行うことを特徴としたものである。
【００１１】
そして、浴槽への注水を給水路から分岐した分岐路と浴槽注水路を接続して、外部入力装置のスイッチ操作で分岐弁の開閉制御により行うようにしているため、暖房運転中であっても浴槽への注水を行うことができ、実用的、かつ、使い勝手のよい暖房専用熱源機を提供することができる。
【００１２】
請求項３記載の発明は、循環水を加熱する加熱部及び熱交換器部と、循環経路の適所に設けた循環水タンクと、前記循環水タンクへの給水路と、給水路中に設けた注水弁と、前記給水路から分岐した分岐路と、分岐路中に設けた分岐弁及び定水量ガバナと、前記分岐路と浴槽をつなぐ浴槽注水路を備えた暖房専用熱源機であって、外部入力装置の操作により、前記分岐弁を開閉して前記浴槽注水路から浴槽に注水を行うことを特徴とするものである。
【００１３】
そして、浴槽への注水を給水路から分岐した分岐路と浴槽注水路を接続して、外部入力装置のスイッチ操作で分岐弁の開閉制御により行うようにしているため、暖房運転中であっても給水圧に影響を受けず、安定した流量で浴槽への注水を行うことができ、実用的、かつ、使い勝手のよい暖房専用熱源機を提供することができる。
【００１４】
請求項４記載の発明は、外部入力装置により注水指示を行ったとき、注水弁または分岐弁を開弁し、所定時間経過後に自動的に閉弁する制御手段を有したことを特徴とするものである。
【００１５】
そして、浴槽への注水の開始後、自動で浴槽への注水を停止することができ、使い勝手の向上が図れる。
【００１６】
請求項５記載の発明は、外部入力装置により注水指示を行ったとき、注水弁または分岐弁を開弁し、外部入力装置で設定した任意の注水時間経過後に自動的に閉弁する制御手段を有したことを特徴とするものである。
【００１７】
そして、浴槽への注水の開始後、任意に設定した時間に自動で浴槽への注水を停止することができるため、浴槽の大きさ、流量条件等、使用条件に合致した使い方が可能になる。
【００１８】
請求項６記載の発明は、分岐路中に流量を検出する水量センサと、水量の積算を演算する水量演算手段を備え、前記水量演算手段の積算水量が、外部入力装置で任意に設定した目標水量に達した際、分岐弁を閉弁し浴槽への注水を停止する制御手段を有したことを特徴とするものである。
【００１９】
そして、任意に設定した目標水量で自動的に浴槽への注水を行うことができるため、精度の高い、効率的な注水動作を行うことができる。
【００２０】
請求項７記載の発明は、分岐弁の閉弁後、外部入力装置より浴槽への注水完了を報知する制御手段を有したことを特徴とするものである。
【００２１】
そして、ユーザーに注水完了を喚起する事により、風呂釜への点火など、次の行動への準備に取り掛かることを喚起できる。
【００２２】
【実施例】
以下、本発明の実施例について図面を用いて説明する。なお、従来例と同一部品には同一番号を付し説明する。
【００２３】
図１は本発明の実施例１の暖房熱源機の構造図である。
【００２４】
浴室乾燥機など、例えば、８０℃前後の高温を要する暖房運転が要求されると、循環ポンプ１が運転し、循環水タンク２内の循環水は熱交換器部３により加熱され、温水となり暖房端末機に搬出される。また、床暖房など、例えば、６０℃前後の比較的低温を要する暖房運転が要求されると、熱動弁４が開き、循環ポンプ１が運転し、循環水タンク２内の循環水は熱交換器部３により加熱され、温水となり熱動弁４を通って暖房端末機に搬出される。また、循環水タンク２への注水は、給水路上に設けられた注水弁５ａが開弁することにより行われ、暖房水タンク２に設けられた満水検知部６により満水が検知されると注水が完了する。
【００２５】
上記のような暖房専用の循環回路において、外部入力装置２０の操作により浴槽への注水が要求されると、注水弁５ａが開き、給水は給水路から循環水タンク２に供給され、通常暖房運転の場合は満水検知部６により満水状態が検出されると注水弁５ａを閉じるが、注水動作の場合は前記満水検知部６の満水信号を無視し、循環水タンク２への供給を継続する。そして、循環水タンク２の上部に設けたオーバーフロー路７から浴槽注水路８を経由して、浴槽９に注水を行う。
【００２６】
このように、浴槽への注水を暖房水循環経路に配設した循環水タンク２のオーバーフロー路７を兼用して、外部入力装置２０のスイッチ操作で注水弁５ａの開閉制御により行うようにしているため、実用的、かつ、使い勝手のよい暖房専用熱源機を提供することができる。
【００２７】
図２は本発明の実施例２の暖房熱源機の構造図であり、暖房運転は従来例および実施例１と同一である。
【００２８】
実施例１と異なる点は、注水経路の構成として循環水タンク２のオーバーフロー路７を兼用する構成に代えて、給水路から分岐した給水路から分岐した分岐路と浴槽注水路を接続した点、及び、浴槽への注水制御を注水弁５ａに代えて、前記分岐路１０に設けた分岐弁５ｂにより行うようにした点で、外部入力装置２０の操作により浴槽への注水が要求されると、分岐弁５ｂが開き、給水は給水路から分岐路１０を経由して浴槽注水路８より浴槽９に注水を行うようにしている。
【００２９】
このような構成とすることで、暖房運転中であっても浴槽への注水を行うことができ、暖房の循環水と浴槽への注水が混ざることがなく、寒冷地などにおいて暖房経路に不凍液を注入することが可能となり、実用的、かつ、使い勝手のよい暖房専用熱源機を提供することができる。
【００３０】
図３は本発明の実施例３の暖房熱源機の構造図であり、暖房運転は従来例および実施例１と同一である。
【００３１】
実施例２と異なる点は、浴槽への注水経路を構成する給水回路より分岐した分岐回路に定水量ガバナを設けた点で、外部入力装置２０の操作により浴槽への注水が要求されると、分岐弁５ｂが開き、給水は給水路から分岐路１０、定水量ガバナ１１を経由して、浴槽注水路８より浴槽９に注水を行う。
【００３２】
このような構成とすることで、上記実施例２と同様、暖房運転中であっても浴槽への注水を行うことができるとともに、浴槽への単位時間当たりの注水量を一定にすることができ、給水圧等の使用条件の変動があっても、浴槽満水までの時間を略一定に保つことができ、またその時間を容易に判断できる。
【００３３】
また、暖房の循環水と浴槽への注水が混ざることがなく、寒冷地などにおいて暖房経路に不凍液を注入することが可能となり、実用的、かつ、使い勝手のよい暖房専用熱源機を提供することができる。
【００３４】
また、外部入力装置２０の操作で浴槽への注水指示を行い、注水弁５ａまたは分岐弁５ｂを開いてから、所定時間経過後に自動的に前記注水弁５ａまたは分岐弁５ｂを閉じるようにすることで、浴槽への自動注水が可能となり、スイッチの切り忘れによる余分な注水動作を防止することができ、さらに使い勝手のよいものとなる。
【００３５】
さらに、注水時間を外部入力装置２０で任意に設定できる構成とすることで、その日の入浴ニーズに合わせて浴槽水の量を任意な設定できるという効果もある。
【００３６】
図４は本発明の実施例４の暖房熱源機の構造図であり、暖房運転は従来例および、実施例１と同一である。
【００３７】
本実施例は上記実施例２の構成に加え、分岐路１０に水量センサ１２を設け、この水量センサ１２で検出される流量を積算し演算する水量演算手段１３により分岐弁５ｂの閉弁制御を行うようにしたもので、外部入力装置２０の操作により浴槽への注水が要求されると、分岐弁５ｂが開き、給水は給水路から分岐路１０、水量センサ１２を経由して浴槽注水路８より浴槽９に注水を行う。そして、分岐路１０を流れる水量を水量演算手段１３で積算し、この積算流量が予め外部入力装置２０で設定された目標流量に一致した場合、分岐弁５ｂを閉弁し注水を完了する。
【００３８】
このような注水制御を行うことで、スイッチの切り忘れがなく、その日の入浴ニーズに合わせて浴槽水の量を設定でき、使用条件に応じた浴槽への自動注水を実現することができる。
【００３９】
また、注水の完了時、外部入力装置２０から報知音でユーザーに知らせることで、ユーザーは浴槽への注水完了を確実に確認することができ、既設の風呂釜への点火や、暖房運転の開始など、ユーザーに対し次の行動を喚起できる。
【図面の簡単な説明】
【図１】本発明の実施例１による暖房専用熱源機を示す構造図
【図２】本発明の実施例２による暖房専用熱源機を示す構造図
【図３】本発明の実施例３による暖房専用熱源機を示す構造図
【図４】本発明の実施例４による暖房専用熱源機を示す構造図
【図５】従来の暖房専用熱源機を示す構造図
【符号の説明】
１  循環ポンプ
２  循環水タンク
３  熱交換器部
４  熱動弁
５ａ  注水弁
５ｂ  分岐弁
７  オーバーフロー路
８  浴槽注水路
９  浴槽
１０  分岐路
１１  定水量ガバナ
１２  水量センサ
１３  水量演算手段
１４  給水路
２０  外部入力装置
【図１】
2005009812.tif 000003
【図２】
2005009812.tif 000004
【図３】
2005009812.tif 000005
【図４】
2005009812.tif 000006
【図５】
2005009812.tif 000007